(57)【特許請求の範囲】
【請求項１】
額の上枠、下枠、左枠、右枠、を独立したものとし、上枠は、欄間等として使用し、左枠、右枠は外側に開く機構とし、絵画等を裏から押さえる添え板の下半分を固定した下枠を前面に倒すと仏壇の供え物台として使用することが出来、上枠、下枠、左枠、右枠を閉じた時は、額縁として使用することが出来ることを特徴とする額仏壇。
【発明の詳細な説明】
【０００１】
【発明の技術分野】
本発明は、仏壇又は祭壇に関するものである。
【０００２】
【従来の技術】
従来の仏壇は、仏間や座敷に段を設けて据え置き、仏像や仏画を安置し、位牌を祭り、供え物やローソク立等の装備を置き、仏様や先祖様を拝む習慣を満たすものであった。社会の高齢化が進み、老人福祉施設等が増加し、又核家族が増加し、住居の狭小化が進み、仏壇を置く場所もない住居が多くなり、その上殺伐とした世情の中、日々の心の安らぎを求める必要も生じて来た。そこで、簡易仏壇が家具の中に組み込まれたり、又額の様に壁掛け式の仏壇も出て来ている。しかし、いずれも仏壇として満足なものではなく、家具式仏壇も余分な家具そのものを置く場所もなく、壁掛仏壇は（実用新案出願番号５９−８４５７６や５５・４２３８及び６２−６６７２があるが）いずれも額の枠はそのままで、絵や美術品の入るところ（額縁の枠の内側）のみを開けるものであり、開口部が狭く、従って内部の仏壇となるところが狭小で、仏壇として十分な装備も出来ず、荘厳な雰囲気を醸し出すものはなかった。又（実願平０７−３０５５）にあっては、前面の額縁全体を、そのまま前に倒すことにより、それと略同形の位牌収納部がそのうしろに現れるだけであり、これも仏壇としては荘厳な雰囲気を醸し出す事は難しかった。
【０００３】
【発明が解決しようとする課題】
本発明は、この様な従来の仏壇の不備な点を、根本的に解決し、欄間もあり、両扉も大きく開かれ、奥には仏壇としては一番欠かせない仏像を中央に安置しその両横には開祖の上人の軸もかけられ、丸柱や中段も設備され、位牌も祭る事が出来、前には、供え物台も設備され、小型ながら荘厳な雰囲気を醸し出す本格的な仏壇となり、又閉じれば額として、絵画や写真等を室内で飾ることが出来る額仏壇を具現する事を課題とする。
【０００４】
【課題を解決するための手段】
この上記の課題を解決する為に、本発明の額仏壇は、額の上枠、下枠、左枠、右枠を独立したものとし、上枠は欄間等として使用し、左枠、右枠、は外側に開く機構とし、絵画等を裏から押さえる添え板の下半分を固定した下枠を前面に倒すと仏壇の供え物台として使用することが出来、上枠、下枠、左枠、右枠を閉じた時は額縁として使用することが出来ることを特徴とする額仏壇を提供するものである。
【０００５】
【発明の実施の形態】
本発明の実施の形態を実施の一例に基ずき図面を参照して詳細に説明する。
本発明は、（図２）に見る如く額縁の枠の巾を太くし（約８ｃｍ）、上枠（１）と左枠（２）、右枠（３）及び下枠（４）を各々独立して使用できる様にする。（上枠（１）の下側及び下枠（４）の上側を各々左右に延ばした線上（２４）（図２）で分離出来る。）上枠（１）は仏壇として使用する時に、前面の上部の飾り欄間とする。次に（図６）に示す様に、左枠（２）、右枠（３）を扉として左右に開く為に、本体の外側の前端と枠の外側後端を蝶番（９−１）にて繋ぎ、扉の様に開閉出来る様にする。尚、更に扉（２）、（３）が大きく開く為に、仏壇の側板の奥行の前部凡そ１／３も扉の一部として開く事が出来る続き扉（３４）とすることにより続き２枚折扉（２８）とする。（図３）及び（図４）に図示した様に額に入れた絵画や写真等が後ろにはずれない様に後ろから押さえる添え板（５）と（６）が設けられているがその板を上部（６）と下部（５）とに分かれる様にした。添え板の下部（５）を下枠（４）の裏に固定させ、絵の後の添板の下部（５）と共に前に倒し、水平になる所で静止させ、下枠（４）を添板の下部（５）と共に供え物等を置く台として役立てる事にした。添板の下部（５）と固定した下枠（４）を、添板の下部（５）と共に水平に静止させる為には、（図５）で見る如く、仏壇本体の底板（３７）の前面の上端と、下枠（４）の後面の下端を蝶番（２１）で繋ぎ、前倒し、立て起こしを自在にし、前倒しにした時に、水平になった時点で静止する様に下枠の下裏側に溝（２３）を作り、本体の底板（３７）が溝（２３）に喰い込んだ所で止る様にした。
【０００６】
箱全体を堅牢にする為に、（図７）に示す様に箱の天板（３６）の下に添わして、厚みのある埋め木（３８）を設けた。これで全体が少々軽い薄い板で製作しても堅牢さは十分なものとなった。（図４）に示すように左右に扉のように開かれた左枠（２）と右枠（３）は、その裏側に仏壇独特の木瓜の形の彫り込み（３１）（図４）を作り、彫り込んだ所は金色に塗り、外の縁は黒色とすると仏壇の扉としては大変ふさわしい扉となつた。
【０００７】
仏壇等宗教に関する祭壇は、その崇高なる雰囲気を醸し出すのが重要である。仏壇では、それは金色にするのが最良となる。そこで箱の内部（仏壇の内部）は金色の壁とし、仏壇に最も重要とする仏像（又は仏像の描かれた掛軸）（１３）を中央に配置し、スペースも充分あるので、その両横に開祖の上人の像（１４）を配置する。（宗旨によって異なるが、弘法大師や南無不可思議光如来等々−この場合、姿の描かれた絵の掛軸や字で名を描かれた掛軸でも良い。）その中央の仏像と両側の上人との像との間は丸柱（１０）で区切り、又上人像の両端となる仏壇の奥の両角にも丸柱を配し、仏像の下にはそれを乗せて安置する中段（１１）を設けた。その前に位牌を置く場所もあり必要に応じて２〜３体は祭れる。これで本格的仏壇の雰囲気を十分出すことが出来た。
【０００８】
仏壇を額の状態に戻すには、先ず供え物台として使用していた添板の下部（５）
0004069237.tif 000002
８）、花立（１９）、等々を本体（仏壇）の中に収納し、添板の下部（５）をそれと固定している下枠（４）と共に立て起こし、その時点で下枠（４）の両端にある磁石のキャッチ（２７）が蜜着し係止する。添板の上部（６）を添え板下部（５）の上に乗せ、中央にある上下添え板を揃える為の印（８）を合わせて安定させる。次に（図７）に示す様に上枠（１）の裏にある溝（３０）に絵画や写真等の上端を差し込み持ち上げて下枠（４）と添板との間にある溝（２９）に差し込んで装着し、更に両扉を閉める。両扉は扉の上面についているキャッチ（２２）で係止する。（図２）に示す様に、これにより絵画や写真等を室内に飾り楽しむ事ができる。
【０００９】
本発明は、仏壇だけでなく、内部や外部の装飾や装備を変える事により、他の宗教の祭壇にも適応できる。
【００１０】
【発明の効果】
本発明は、以上説明したように構成されているので、以下に記載するような効果が得られる。
【００１１】
額縁の巾一杯に間口が拡がり、上下の間隔も下枠（４）を前に倒す事により、必要に応じて上枠（１）も上に開く機構とすることも出来、開口部が大きくなり，奥行きと共に十分広くとれ、又添え板（５）を供え物台として使用する事によりスペースが更に大きくとれた。
【００１２】
スペースが十分出来たので、本体の内部に仏壇の主となる仏像の絵の掛軸（１３）も安置でき、その両側に開祖の掛軸（１４）も安置出来、仏壇には欠かせないものを祭る事が出来た。
【００１３】
額としてインテリアを飾る場合にも絵画や写真等を簡単な操作で入れ替えが出来、十分楽しむ事が出来る。
【００１４】
壁掛け額の故に場所を必要とせず、狭小住宅の多い現代社会には重宝なものであり、心の安らぎも得られる。
【図面の簡単な説明】
【図１】本発明の仏壇として使つている時の斜視図。
【図２】本発明の斜視図。
【図３】本発明の左右の枠を両側に開いた時の斜視図。中央に絵の裏の添板が上下に重なって立っている状態を表す。
【図４】本発明の添板の上部を取り外した斜視図。
【図５】本発明の下枠（４）と添え板の下部（５）の部分拡大断面図。
【図６】本発明の本体中心の水平断面図。
【図７】本発明の本体の中央部の垂直断面図。
【符号の説明】
１．上枠
２．左枠
３．右枠
４．下枠
５．添板の下部
６．添板の上部
７．板金具
８．上下添板を揃える為の印
９−１．蝶番
９−２．蝶番
１０．丸柱
１１．中段
１３．掛軸
１４．掛軸
１５．位牌
１６．ローソク立
１７．線香立
0004069237.tif 000003
１９．花立
２０．供え物
２１．蝶番
２２．キャッチ
２３．溝
２４．左右の枠を上下の枠から分離する線
２５．絵画
２６．吊り紐
２７．キャッチ
２８．続き２枚折扉
２９．溝
３０．溝
３１．木瓜形の彫り込み
３３−１．左側板
３３−２．右側板
３４．続き扉
３５．裏板
３６．天板
３７．地板
３８．埋め木
【図１】
0004069237.tif 000004
【図２】
0004069237.tif 000005
【図３】
0004069237.tif 000006
【図４】
0004069237.tif 000007
【図５】
0004069237.tif 000008
【図６】
0004069237.tif 000009
【図７】
0004069237.tif 000010